(57)【要約】【目的】鉄工所、製鉄所又は鉄道工事などでの作業に従事した者の衣服を事業所又は家庭で洗濯する場合に、前記洗濯槽に対し極めて安価で単純な構成を付加するだけで、洗濯後に多量の微小鉄粉が洗濯槽内部に付着してしまうことを防ぎ、洗濯槽内部に付着した微小鉄粉の除去作業のために多大な労力が必要となってしまうことを回避することができる、衣服洗濯過程における鉄粉除去具及び鉄粉除去方法を提供する。【構成】洗濯機の洗濯槽内に配置されて使用される鉄粉除去具であって、一つ又は複数の磁石と、前記磁石を収容し水が自ら（容器）の内部と外部との間で流通可能な多数の穴又は開口部を備えている容器とを備えた鉄粉除去具、並びに、このような鉄粉除去具を使用した鉄粉除去方法である。【選択図】    図１
2018126304.tif 000002
【特許請求の範囲】
【請求項１】
洗濯機の洗濯槽内に配置されて使用される衣服洗濯過程における鉄粉除去具であって、
一つ又は複数の磁石と、
前記磁石を収容し、水が自ら（容器）の内部と外部との間で流通可能な多数の穴又は開口部を備えている容器と、
を備えた衣服洗濯過程における鉄粉除去具。
【請求項２】
前記容器を収容する柔軟なメッシュ状の布から成る袋体であって、洗濯槽内に取り付け可能な取付具を備えた袋体をさらに備えた請求項１に記載の衣服洗濯過程における鉄粉除去具。
【請求項３】
前記容器は、略カプセル状、略円筒状又は断面略楕円形状に形成されたプラスチック製の柔軟な素材から成る容器である請求項１又は２に記載の衣服洗濯過程における鉄粉除去具。
【請求項４】
洗濯機の洗濯槽内に、一つ又は複数の磁石と前記磁石を収容し水が自ら（容器）の内部と外部との間で流通可能な多数の穴又は開口部を備えている容器とから成る鉄粉除去具を、配置すると共に、洗濯機の洗濯槽内に衣服を入れて、衣服の洗濯を行い、
前記洗濯の過程において、衣服から洗濯槽の水中に放出された多量の鉄粉を含む水が前記鉄粉除去具の容器の穴又は開口部を介して前記容器の内部を流通し通過する過程で、前記水中の鉄粉が前記容器内の磁石に吸着されるようにし、これにより前記洗濯槽内の水から鉄粉を除去するようにした、衣服洗濯過程における鉄粉除去方法。
【発明の詳細な説明】
【技術分野】
【０００１】
本発明は家庭又は事業所などにおいて洗濯機を使用して行う衣服の洗濯過程における鉄粉除去具及び鉄粉除去方法に関する。
【背景技術】
【０００２】
従来より、家庭又は事業所などにおいて洗濯機を使用して行う衣服の洗濯に関しては、洗濯過程で衣服から洗濯槽内に放出される綿ゴミについては、ネット状の布から成る袋体を洗濯槽内に配置することにより前記綿ゴミを除去することが行われている（特許文献１参照）。
【先行技術文献】
【特許文献】
【０００３】
【特許文献１】実開平１−７６７８７号公報
【発明の概要】
【発明が解決しようとする課題】
【０００４】
前記特許文献１の発明は、洗濯過程において衣服から洗濯槽内に放出される綿ゴミを洗濯槽内の水中から除去する目的から見れば、確かに極めて有効な対策であった。
【０００５】
しかしながら、鉄工所、製鉄所又は鉄道工事などでの作業に従事する者の衣服を事業所又は家庭で洗濯するときは、その衣服に作業中に発生した多量の微小鉄粉が付着しているが、前記の特許文献１の発明では、微小鉄粉は前記袋体のネット状の布を容易にすり抜けてしまうため、全くと言ってよい程、除去することはできなかった。
【０００６】
そのため、従来は、鉄工所、製鉄所又は鉄道工事などでの作業に従事した者の衣服を事業所又は家庭で洗濯したときは、その洗濯後に多量の微小鉄粉が洗濯槽内部に付着してしまい、その除去作業のために多大な労力が必要となってしまうという問題があった。
【０００７】
本発明はこのような従来技術の問題点に着目して為されたものであって、鉄工所、製鉄所又は鉄道工事などでの作業に従事した者の衣服を事業所又は家庭で洗濯する場合に、前記洗濯槽に対し極めて安価で単純な構成を付加するだけで、洗濯後に多量の微小鉄粉が洗濯槽内部に付着してしまうことを防ぎ、洗濯槽内部に付着した微小鉄粉の除去作業のために多大な労力が必要となってしまうことを回避することができる、衣服洗濯過程における鉄粉除去具及び鉄粉除去方法を提供することを目的とする。
【課題を解決するための手段】
【０００８】
以上のような課題を解決するための本発明による衣服洗濯過程における鉄粉除去具は、洗濯機の洗濯槽内に配置されて使用される鉄粉除去具であって、一つ又は複数の磁石と、前記磁石を収容し、水が自ら（容器）の内部と外部との間で流通可能な多数の穴又は開口部を備えている容器とを備えたものである。
【０００９】
また、本発明による衣服洗濯過程における鉄粉除去具においては、前記容器を収容する柔軟なメッシュ状の布から成る袋体であって、洗濯槽内に取り付け可能な取付具を備えた袋体をさらに備えるようにしてもよい。
【００１０】
また、本発明による衣服洗濯過程における鉄粉除去具においては、前記容器は、略カプセル状、略円筒状又は断面略楕円形状に形成されたプラスチック製の柔軟な素材から成る容器であってもよい。
【００１１】
さらに、本発明による衣服洗濯過程における鉄粉除去方法は、洗濯機の洗濯槽内に、一つ又は複数の磁石と前記磁石を収容し、水が自ら（容器）の内部と外部との間で流通可能な多数の穴又は開口部を備えている容器とを含む鉄粉除去具を配置すると共に洗濯機の洗濯槽内に衣服を入れて、衣服の洗濯を行い、前記洗濯の過程において、衣服から洗濯槽の水中に放出された多量の鉄粉を含む水が前記鉄粉除去具の容器の穴又は開口部を介して前記容器の内部を流通・通過する過程で、前記水中の鉄粉が前記容器内の磁石に吸着されて前記洗濯槽内の水中から鉄粉が除去されるようにしたものである。
【発明の効果】
【００１２】
以上のように、本発明では、一つ又は複数の磁石を収容し且つ水が自ら（容器）の内部と外部との間で流通可能な多数の穴又は開口部を備えた容器とから成る鉄粉除去具を、洗濯槽内に配置して洗濯を行うようにした。よって、本発明においては、衣服の洗濯過程において、衣服から洗濯槽内の水中に放出された多量の微小鉄粉は、前記水が前記容器の穴又は開口部を介して前記容器内を流通する過程で、前記磁石に吸着され、前記洗濯槽内の水中から、自動的に除去される。よって、本発明によれば、前記洗濯槽に対し極めて安価で単純な構成を付加するだけで、鉄工所、製鉄所又は鉄道工事などでの作業に従事した者の衣服を事業所又は家庭で洗濯する場合に、その洗濯後に多量の微小鉄粉が洗濯槽内部に付着してしまうという弊害を防ぎ、洗濯槽内部に付着した微小鉄粉の除去作業のために多大な労力が必要となってしまうという問題を回避することができる
【００１３】
また、本発明において、前記鉄粉除去具の容器を、洗濯槽内に取り付け可能な取付具を備えた袋体（その内部を水が容易に通過できる袋体）の中に配置するようにしたときは、前記鉄粉除去具を洗濯槽の内壁面を傷つけたりすることなく容易に洗濯槽内に配置することができる。また、本発明において、前記鉄粉除去具の容器を、洗濯槽内に取り付け可能な取付具を備えた袋体（洗濯槽内の水中の綿ゴミを除去できるメッシュ状の布から成る袋体）の中に配置するようにしたときは、前記鉄粉除去具による洗濯槽内の水中からの微小鉄粉の除去と、前記メッシュ状の布から成る袋体による洗濯槽内の水中からの綿ゴミの除去とを、ユーザーとしては洗濯機を通常どおりに作動させるだけで、自動的に行えるようになる。
【００１４】
また、本発明において、前記容器を、略カプセル状、略円筒状又は断面略楕円形状に形成されたプラスチック製の柔軟な素材から成る容器としたときは、鉄粉除去具が略カプセル状、略円筒状又は断面略楕円形状であり且つ柔らかい素材から成るので、鉄粉除去具が洗濯槽の内壁面に当たっても当該内壁面を損傷することがなく、また鉄粉除去具をユーザーが取扱い易い形状のものとすることができる。
【００１５】
さらに、本発明において、洗濯機の洗濯槽内に磁石と前記磁石を収容し、水が自ら（容器）の内部と外部との間で流通可能な多数の穴又は開口部を備えている容器とを含む鉄粉除去具を配置すると共に洗濯機の洗濯槽内に衣服を入れて、衣服の洗濯を行うようにしたときは、前記洗濯の過程において、衣服から洗濯槽の水中に放出された多量の鉄粉を含む水が前記鉄粉除去具の容器の穴又は開口部を介して前記容器の内部を流通・通過する過程で、自動的に、前記水中の鉄粉が前記容器内の磁石に吸着され、前記洗濯槽内の水中から鉄粉が除去されるようになる。
【図面の簡単な説明】
【００１６】
【図１】本発明の実施形態に係る鉄粉除去具を示す、或る角度から見たときの斜視図である。
【図２】本実施形態に係る鉄粉除去具を示す、他の或る角度から見たときの斜視図である。
【図３】本実施形態に係る鉄粉除去具とこれを収容する綿ゴミ除去具（袋体）を示す、或る角度から見たときの斜視図である。
【図４】本実施形態に係る鉄粉除去具とこれを収容する綿ゴミ除去具（袋体）を示す、他の或る角度から見たときの斜視図である。
【図５】本発明の実施形態２における鉄粉除去具を示す斜視図である。
【図６】従来の洗濯機の洗濯槽内に取り付けて使用する綿ゴミ除去具（袋体）を示す斜視図である。
【発明を実施するための形態】
【００１７】
〔第１の実施形態〕
以下、本発明の実施の形態を図面を用いて説明する。図１及び図２は本発明の実施形態に係る鉄粉除去具を示す斜視図である。
【００１８】
図１，２において、１は例えば略直方体状の磁石（永久磁石）、２は略カプセル状のプラスチック製容器、３は前記容器の図示上方の取出口（開口）を塞ぐためのプラスチック製のキャップである。
【００１９】
本実施形態では、前記の磁石１、容器２、及びキャップ３により鉄粉除去具が構成されている。図１は、前記鉄粉除去具を構成する磁石１、容器２、及びキャップ３をそれぞれ示すもの、図２は前記の磁石１を容器２内に入れてキャップ３を閉めた状態の鉄粉除去具を示すものである。
【００２０】
本実施形態では、前記容器２は、洗濯機の洗濯槽の内壁面に当たったとき当該内壁面を傷つけることがないように、ある程度柔らかいプラスチック素材により形成されている。
【００２１】
また、本実施形態では、前記容器２の側部（胴体部分）には多数の穴４が形成されている。この多数の穴４は、前記容器２が洗濯槽内に配置されたとき、洗濯槽内の水が前記容器２の内部を容易に流通・通過できるようにするためのものである。
【００２２】
次に、図３及び図４は本実施形態に係る鉄粉除去具とこれを収容する綿ゴミ除去具（袋体）を示す斜視図である。
【００２３】
図３，４において、１１は前記鉄粉除去具（容器２など）を収容するネット状の布から成る上方が開口された袋体、１２は前記袋体１１を洗濯機の洗濯槽内部の突起（図示省略）などに取り付けるための取付具である。
【００２４】
本実施形態に係る鉄粉除去具は、前記袋体１１に収容された状態で、前記取付具１２により、前記袋体１１と共に洗濯槽内に取り付けられて使用される。
【００２５】
衣服の洗濯を行うユーザーは、前記袋体１１内に前記鉄粉除去具を入れて、前記袋体１１を前記取付具１２で洗濯槽内に取り付けて、衣服を洗濯する。すると、その洗濯の過程で、衣服から多量の微小鉄粉が洗濯槽内の水中に放出されるが、前記多量の鉄粉を含む水は前記袋体１１の内部を流通・通過するときに、前記容器２の内部をも前記多数の穴４を介して容易に流通・通過する。そして、前記水が前記容器２の内部を流通・通過する過程で、前記水中の鉄粉は前記磁石１に吸着される。また、これと同時に、前記水中の綿ゴミは前記袋体１１のメッシュ状の布に吸着される。
【００２６】
以上のように、本実施形態では、前記磁石１を収容し且つ水が自ら（容器２）の内部と外部との間で流通可能な多数の穴４を備えた容器２とから成る鉄粉除去具を洗濯槽内に配置して、衣服の洗濯を行うようにしたので、このような衣服の洗濯過程においては、衣服から洗濯槽内の水中に放出された多量の微小鉄粉は、前記水が前記容器２の穴４を介して前記容器２内を流通・通過する過程で、前記磁石１に吸着され、前記洗濯槽内の水中から、自動的に除去される。よって、本実施形態によれば、前記洗濯槽に対し極めて安価で単純な構成を付加するだけで、鉄工所、製鉄所又は鉄道工事などでの作業に従事した者の衣服を事業所又は家庭で洗濯する場合に、その洗濯後に多量の微小鉄粉が洗濯槽内部に付着してしまうという弊害を防ぎ、洗濯槽内部に付着した微小鉄粉の除去作業のために多大な労力が必要となってしまうという問題を回避することができる。
【００２７】
また、本実施形態においては、前記鉄粉除去具の容器２を、洗濯槽内に取り付け可能な取付具１２を備えた袋体１１（その内部を水が容易に流通・通過できるメッシュ状の布から成る袋体１１）の中に配置するようにしたので、前記鉄粉除去具により洗濯槽の内壁面が損傷されることがなくなり、且つ前記鉄粉除去具を容易に洗濯槽内に配置することができるようになる。
【００２８】
また、本実施形態においては、前記鉄粉除去具の容器２を、洗濯槽内に取り付け可能な取付具１２を含む袋体１１（洗濯槽内の水中の綿ゴミを除去できるメッシュ状の布から成る袋体１１）の中に配置するようにしたので、前記鉄粉除去具による洗濯槽内の水中からの微小鉄粉の除去と、前記メッシュ状の布から成る袋体１１による洗濯槽内の水中からの綿ゴミの除去とを、ユーザーとしては洗濯機を通常どおりに作動させるだけで、自動的に行えるようになる。
【００２９】
また、本実施形態においては、前記容器２を、略カプセル状に形成されたプラスチック製の柔らかい素材から成る容器としたので、鉄粉除去具を、その外形が略カプセル状でやわらかい素材であるため洗濯槽の内壁面に当たっても当該内壁面を損傷することがなく、またユーザーが取扱い易い形状のものとすることができる。
【００３０】
このように、本実施形態においては、洗濯機の洗濯槽内に、磁石１と磁石１を収容し、水が自ら（容器２）の内部と外部との間で流通可能な多数の穴４を備えている容器２とを含む鉄粉除去具を配置すると共に、洗濯機の洗濯槽内に衣服を入れて、衣服の洗濯を行うようにしたので、前記洗濯の過程において、衣服から洗濯槽の水中に放出された多量の鉄粉を含む水が前記鉄粉除去具の容器２の穴４を介して前記容器２の内部を流通・通過する過程で、自動的に、前記水中の鉄粉が前記容器２内の磁石１に吸着され、前記洗濯槽内の水中から鉄粉が除去されるようになる。
【００３１】
〔第２の実施形態〕
次に、図５は本発明の実施形態２に係る鉄粉除去具を示す斜視図である。図５に示すように、本実施形態２では、磁石１（図１参照）を収容する容器として、側面部（胴体部分）が多数の微小な穴を有するメッシュ状に形成されたプラスチック製容器２２を使用している。
【００３２】
本実施形態２では、このような側面部がメッシュ状に形成された容器２２の中に、磁石１（図１参照）を入れてキャップ２３で容器２２の開口部を塞ぐことにより、鉄粉除去具が構成されている。
【００３３】
よって、本実施形態２においても、前記実施形態１と同様に、洗濯槽内の水（多量の微小鉄粉を含む水）は、前記メッシュ状の側面部を介して、容易に前記容器２２の内部を流通・通過するので、その流通・通過の過程で、前記水中の微小鉄粉は容易に前記磁石１に吸着される。
【００３４】
本実施形態２の構成は、前記容器２２の側面部がメッシュ状に形成されている点を除き、前記実施形態１と基本的に同様である。よって、この本実施形態２によっても、前記実施形態１と同様の作用効果を奏することができる。
【００３５】
以上、本発明の各実施形態について説明したが、本発明は前記各実施形態として述べたものに限定されるものではなく、様々な修正及び変更が可能である。例えば、前記各実施形態においては、前記磁石１を略直方体状のものとしたが、本発明においては、前記磁石を例えば球体状など様々な形状のものとすることができる。また、前記各実施形態においては、前記磁石１を収容する容器２，２２を略カプセル状のものとしたが、本発明においては、前記容器２，２２を例えば球体状、略サイコロ状など様々な形状のものとすることができる。
【符号の説明】
【００３６】
１    磁石
２，２２     容器
３，２３     キャップ
４    穴
１１  袋体
１２  取付具
【図１】
2018126304.tif 000003
【図２】
2018126304.tif 000004
【図３】
2018126304.tif 000005
【図４】
2018126304.tif 000006
【図５】
2018126304.tif 000007
【図６】
2018126304.tif 000008